(57)【特許請求の範囲】
【請求項１】
下にある体腔にアクセスする組織路内に配置される外科手術装置であって、
前端と、後端と、通路を規定する少なくとも１つの長手方向ポートとを備えているシールアンカ部材であって、該通路は、該前端と該後端との間に延び、物体を受容するように構成されている、シールアンカ部材と、
該少なくとも１つの長手方向ポートの該通路を閉じるために該少なくとも１つの長手方向ポート内に配置されている膜であって、該膜は、該シールアンカ部材と一体に形成されており、該膜は、閉じられた構成と開かれた構成との間で移行可能であり、該閉じられた構成において該膜を破ることは、該膜を該開かれた構成に不可逆的に変化させ、その結果、該膜は、該物体がない場合に、該前端と該後端との間で該膜を横切って気体が通過することを可能にする、膜と、
該物体と実質的に密閉された関係を形成するために該少なくとも１つの長手方向ポート内に配置されている少なくとも１つのリップであって、該少なくとも１つのリップは、円錐構成または切頭円錐構成を有し、該少なくとも１つのリップが該切頭円錐構成を有する場合には、該少なくとも１つのリップは、第１の直径を有する第１の端と、該第１の直径より大きい第２の直径を有する第２の端とを含む、少なくとも１つのリップと
を備えている、外科手術装置。
【請求項２】
前記膜は、前記シールアンカ部材の前記後端と前記前端との間の位置に配置されている、請求項１に記載の外科手術装置。
【請求項３】
前記膜は、気体不浸透性材料から作られている、請求項１に記載の外科手術装置。
【請求項４】
前記膜は、液体不浸透性材料から作られている、請求項１に記載の外科手術装置。
【請求項５】
前記少なくとも１つの長手方向ポートは、細くくびれた構成を規定する、請求項１に記載の外科手術装置。
【請求項６】
下にある体腔にアクセスする組織路内に配置される外科手術装置であって、
前端と、後端と、通路を規定する少なくとも１つの長手方向ポートとを備えているシールアンカ部材であって、該通路は、該前端と該後端との間に延び、物体を受容するように構成されている、シールアンカ部材と、
該少なくとも１つの長手方向ポートの該通路を閉じるために、該少なくとも１つの長手方向ポート内に配置されている膜であって、該膜は、該シールアンカ部材と一体に形成されており、該膜は、第１の状態から第２の状態に不可逆的に移行可能であり、該膜は、該第１の状態において該少なくとも１つの長手方向ポートを横切って配置され、該膜は、該前端と該後端との間の気体不浸透性障壁を規定し、該第２の状態における該膜は、該物体がない場合に、該前端と該後端との間で該膜を横切って気体が通過することを可能にする、膜と、
該物体と実質的に密閉された関係を形成するために該少なくとも１つの長手方向ポート内に配置されているリップであって、該リップは、円錐構成または切頭円錐構成を有し、該リップが該切頭円錐構成を有する場合には、該リップは、第１の直径を有する第１の端と、該第１の直径より大きい第２の直径を有する第２の端とを含む、リップと
を備えている、外科手術装置。
【発明の詳細な説明】
【技術分野】
【０００１】
（関連出願の参照）
本出願は、２００９年１１月２４日に出願された米国仮出願第６１／２６３，９１８号に対する優先権およびその利益を主張し、この仮出願の内容全体が本明細書に参照によって援用される。
【０００２】
（背景）
（技術分野）
本開示は、概して、内視鏡および／または腹腔鏡の処置などの最小侵襲性外科手術処置において用いられる外科手術ポータルに関し、より詳細には、複数の外科手術器具が単一の切開を通って挿入されることを可能にする外科手術ポータルに関する。
【背景技術】
【０００３】
（関連技術の説明）
今日、多くの外科手術処置は、患者に対する外傷および回復時間の両方を減少させる努力において、従来の処置において典型的に必要とされるより大きな切開と比較して、皮膚の小さな切開を通して行われる。概して、そのような処置は、患者の腹部に対して行なわれる場合を除いて、「内視鏡処置」と呼ばれ、患者の腹部に対して行われる場合、処置は「腹腔鏡処置」と呼ばれる。本開示の全体を通して、用語「最小侵襲性」は、内視鏡処置および腹腔鏡処置の両方を含むものと理解されるべきである。
【０００４】
典型的な最小侵襲性処置中、内視鏡、グラスパ、ステープラ、または鉗子などの外科手術物体は、組織の切開部を通って患者の体内に挿入される。概して、患者の体内に外科手術物体を導入する前に、より大きくより多くアクセスしやすい作業領域を作るために、通気気体が用いられ、標的の外科手術部位の周囲の領域を拡大する。従って、通気気体の漏れと、拡大された外科手術部位の収縮または凹みとを阻止するように、実質的に流体密閉のシールを維持することが望ましい。
【０００５】
この目的のために、密閉する特徴を有する様々なアクセスデバイスが、最小侵襲性処置の進行中に、通気気体の漏れを阻止し、外科手術物体が患者の体内に入るためのアクセスを提供するために用いられる。概して、アクセスデバイスは、弾性材料から作られ、複数のポートを有し、各ポートは、１つの外科手術物体がポートを通って挿入されることに適応するように設計される。従来技術において、各ポートは、ポートの全長にわたり均一に外科手術物体の直径より小さい直径を有するように設計される。外科手術物体がポートを通って前進するとき、弾性材料は、外科手術物体を摩擦によって係合するように適合され、従って、ポートの長さに沿って外科手術物体とポートとの間に密閉を形成する。しかしながら、外科手術物体のサイズがポートと比較して相対的により大きいので、そしてまた外科手術物体とポートとの間の接触表面における摩擦のために、ポートを通って外科手術物体を押すかまたは引くのに多くの労力がなされることを必要とする。
【０００６】
さらに、従来技術において、各ポートは開放端である。従って、アクセスデバイスの開放端ポートを通って外科手術物体を挿入する前に、通気気体が開放端ポートを通って患者の体腔から漏れ得る。同じ理由により、異物が意図せずに開放端ポートを通って患者の体腔の中に入り得る。この問題を克服するために、これまでカニューレアセンブリが、従来のアクセスデバイスに一体的に結合し、外科手術物体が患者の体にアクセスするための密閉した通路を提供するために用いられてきた。カニューレは、ポートを通って従来のアクセスポート内に位置を決められる管状の部材であり、外科手術物体が患者の体にアクセスするための通路を提供する。典型的には、カニューレは、近位端と遠位端とをそれぞれ含み、細長い部材がそれらの間に配置され、近位端に密閉ハウジングが位置を決められる。細長い部材は、外科手術物体の通過を可能にするように寸法設定された開口部を規定する。さらに細長い部材は、開放端ポートの長さより長い。従って、位置決めの際に、カニューレの細長い部材の遠位端は、開放端ポートの遠位端を越える位置に達し、患者の体腔の中に延びる。さらに、カニューレの密閉ハウジングは、外科手術物体に対して実質的に流体密閉のシールを形成するように細長い部材を通って挿入される外科手術物体を受容するように適合される。密閉ハウジングの直径は開放端ポートの直径より実質的に大きいので、結果として、密閉ハウジングは開放端ポートに入るのを阻止される。従って、位置決めの際に、密閉ハウジングは、アクセスデバイスの外部、すなわち、開放端ポートの開口部の上に位置を決められる。さらに、カニューレは、外科手術物体がないとき通常閉じている閉鎖弁を含む。閉鎖弁は、よってその閉鎖状態において気体の漏れおよび異物の導入を阻止し、従って開放端ポートの補完物として働く。
【０００７】
従来技術において、アクセスデバイスの操作中、外科医は、外科手術部位の中に通気気体を導入する前かまたは導入した後のいずれかにおいて、アクセスデバイスを切開部の中に導入する。従来のアクセスデバイスを切開部の中に配置した後にかつ切開部を通って外科手術物体を挿入する前に、外科医は、アクセスデバイスの各開放端ポートの中にカニューレを挿入する。複数のカニューレがアクセスデバイス内に同時に位置を決められる場合、カニューレの密閉ハウジングはすべて、アクセスデバイスの上に位置を決められる。外科医が複数のカニューレを通って同時に挿入された複数の外科手術物体を操作すると、密閉ハウジングは互いにぶつかりあい得る。密閉ハウジング間の衝突は、外科手術物体の動きに対して大きな妨害を引き起こすのみならず、所与のサイズのアクセスデバイス内に同時に存在し得るカニューレの数をも制限し、それによって、アクセスデバイスを介して同時に動作し得る外科手術物体の数を減らす。同様に、患者の体腔内に位置を決められるカニューレの遠位端もまた、カニューレの遠位端が体腔内においてぶつかるので、器具の動作に妨害を引き起こし得る。さらに、従来技術において、カニューレを介して単一のアクセスポートを通って挿入される外科手術物体は、カニューレおよび開放端ポートの物理的特性によって抑えられ、運動の自由度が制限される。例えば、開放端ポートは、アクセスポートの長手方向に開放チャネルを提供する。その理由により、カニューレの細長い部材は、開放端ポート内に位置を決められる場合、アクセスポートに対して長手方向に外科手術物体を操作可能にするチャネルを提供する。しかしながら、患者の体腔内の所望の手術部位に到達するために、外科医は、しばしば、アクセスポートに対して傾斜するかまたは斜めの方向に外科手術物体を動かす必要がある。
【発明の概要】
【発明が解決しようとする課題】
【０００８】
従って、外科手術物体のより大きい運動の自由度を容易にし、提供し、そしてその動きに対する起こり得る妨害を避けるために、強化された密閉特徴および強化されたポート特徴を有するアクセスデバイスに対する継続したニーズが存在する。
【課題を解決するための手段】
【０００９】
（概要）
本開示は、シールアンカ部材を含む外科手術装置に関する。シールアンカ部材は、前端と、後端と、２つの端の間に延びる少なくとも１つの長手方向ポートとを含む。少なくとも１つの長手方向ポートは、外科手術物体を受容するように寸法設定される。
【００１０】
シールアンカ部材の一実施形態において、少なくとも１つの長手方向ポートは、長手方向ポート内に少なくとも１つのリップを含む。少なくとも１つのリップは、リップに挿入された外科手術物体と実質的に密閉した関係を形成するように構成され、それによって、少なくとも１つの長手方向ポートと外科手術物体との間での通気気体の減少を阻止する。
【００１１】
シールアンカ部材の別の実施形態において、少なくとも１つの長手方向ポートは、細くくびれた構成を有する。
【００１２】
特定の実施形態において、少なくとも１つの長手方向ポートは、ポートの長さに沿ってどこにでも位置を定められ得る膜によって閉じられる。
【００１３】
いくつかの実施形態において、シールアンカ部材は、全体として細くくびれた構成を示す。
【００１４】
代替の実施形態において、シールアンカ部材は、全体としてディスク様の構成を示す。
【００１５】
特定の実施形態において、シールアンカ部材は、複数のポートを備えている。ポートは、シールアンカ部材の長手方向軸と実質的に平行である。
【００１６】
さらに、シールアンカ部材は、患者の、下にある腹膜腔に通気流体を導入し、下にある腹膜腔から流体を排出する通路を提供するように構成されるポートを備えている。
【００１７】
本開示の上記および他の局面、特徴および利点は、添付の図面に関連して理解されるとき、以下の詳細な説明を考慮してより明らかになる。
【００１８】
例えば、本発明は以下の項目を提供する。
（項目１）
下にある体腔にアクセスする組織路内に位置決めするための外科手術装置であって、
前端と、後端と、該前端と該後端との間に延び、物体を受容するように構成される通路を規定する少なくとも１つの長手方向ポートとを備えているシールアンカ部材と、
該長手方向ポートの該通路を閉じるために該少なくとも１つの長手方向ポート内に配置される膜と
を備えている、外科手術装置。
（項目２）
上記膜は、上記シールアンカ部材の上記後端と上記前端との間の位置に配置される、上記項目のいずれかに記載の外科手術装置。
（項目３）
上記膜は、該膜を突き通すように構成される材料から作られる、上記項目のいずれかに記載の外科手術装置。
（項目４）
上記膜は、気体不浸透性材料から作られる、上記項目のいずれかに記載の外科手術装置。
（項目５）
上記膜は、液体不浸透性材料から作られる、上記項目のいずれかに記載の外科手術装置。
（項目６）
上記少なくとも１つの長手方向ポートは、該長手方向ポート内に少なくとも１つのリップを備え、該少なくとも１つのリップは、上記物体を受容し、該物体と実質的に密閉した関係を形成するように構成される、上記項目のいずれかに記載の外科手術装置。
（項目７）
上記少なくとも１つの長手方向ポートは、細くくびれた構成を規定する、上記項目のいずれかに記載の外科手術装置。
（項目８）
下にある体腔にアクセスする組織路内に位置決めする外科手術装置であって、
前端と、後端と、該前端と該後端との間に延び、物体を受容するように構成される通路を規定する少なくとも１つの長手方向ポートとを備えているシールアンカ部材と、
該物体と実質的に密閉した関係を形成するために該少なくとも１つの長手方向ポート内に配置されるリップと
を備えている、外科手術装置。
（項目９）
上記少なくとも１つの長手方向ポート内に配置される複数のリップをさらに備えている、上記項目のいずれかに記載の外科手術装置。
（項目１０）
上記少なくとも１つのリップは、円錐構成を有する、上記項目のいずれかに記載の外科手術装置。
（項目１１）
上記少なくとも１つのリップは、切頭円錐構成を有する、上記項目のいずれかに記載の外科手術装置。
（項目１２）
上記少なくとも１つのリップは、上記物体の直径よりも小さい直径を有する一端部を含む、上記項目のいずれかに記載の外科手術装置。
（項目１３）
上記一端部は、上記物体と実質的に密閉した関係を形成するために拡張可能である、上記項目のいずれかに記載の外科手術装置。
（項目１４）
上記少なくとも１つのリップは、上記物体の直径よりも大きい直径を有する一端部を含む、上記項目のいずれかに記載の外科手術装置。
（項目１５）
上記少なくとも１つの長手方向ポートは、上記物体の直径よりも大きい直径を有する、上記項目のいずれかに記載の外科手術装置。
（項目１６）
上記少なくとも１つの長手方向ポートの通路を閉じるために該長手方向ポート内に配置される膜をさらに備えている、上記項目のいずれかに記載の外科手術装置。
（項目１７）
上記少なくとも１つの長手方向ポートは、細くくびれた構成を規定する、上記項目のいずれかに記載の外科手術装置。
（項目１８）
下にある体腔にアクセスする組織路内に位置決めする外科手術装置であって、
前端と、後端と、該前端と該後端との間に延び、物体を受容するように構成される通路を規定する少なくとも１つの長手方向ポートとを備えているシールアンカ部材と、
該物体と実質的に密閉した関係を形成するために該少なくとも１つの長手方向ポート内に配置されるリップと、
該長手方向ポートの該通路を閉じるために該少なくとも１つの長手方向ポート内に配置される膜と
を備えている、外科手術装置。
（項目１９）
上記少なくとも１つの長手方向ポートは、細くくびれた構成を規定する、上記項目のいずれかに記載の外科手術装置。
（項目２０）
上記膜は、気体不浸透性材料から作られる、上記項目のいずれかに記載の外科手術装置。
【００１９】
(摘要）
外科手術装置は、シールアンカ部材を含む。シールアンカ部材は、前端と、後端と、２つの端の間に延びる少なくとも１つの長手方向ポートとを含む。少なくとも１つの長手方向ポートは、外科手術物体を受容するように寸法設定される。少なくとも１つの長手方向ポートの一端は膜によって閉じられ、膜は先の尖ったデバイスによって突き通され得る。少なくとも１つの長手方向ポートは、長手方向ポート内に少なくとも１つのリップをさらに含む。少なくとも１つのリップは、リップを通って入った外科手術物体と実質的に密閉した関係を確立するように構成され、それによって、少なくとも１つの長手方向ポートと外科手術物体との間における通気気体の減少を阻止する。
【図面の簡単な説明】
【００２０】
【図１】図１は、本開示の原理に従う外科手術装置の斜視図である。
【図２】図２は、先の尖ったデバイスが図１の複数のポートのうちの１つの上に配置されている外科手術装置の斜視図である。
【図３】図３は、図１の複数のポートのうちの１つを通って配置された複数のリップおよび通気／排出器具を例示する、外科手術装置の側断面図である。
【図４】図４は、外科手術器具および図３の通気／排出器具を例示する。
【図５Ａ】図５Ａは、図１の外科手術装置の代替の実施形態の斜視図である。
【図５Ｂ】図５Ｂは、図５Ａの外科手術装置の上面斜視図である。
【図５Ｃ】図５Ｃは、線５Ｃ−５Ｃに沿ってとられた、図５Ｂの外科手術装置の端部断面図である。
【図６−１】図６Ａは、図１の外科手術装置の別の代替の実施形態の上面斜視図である。
【図６−２】図６Ｂ１は、線６Ｂ−６Ｂに沿ってとられた、図６Ａの外科手術装置の端部断面図である。
【図６−３】図６Ｂ２は、線６Ｂ−６Ｂに沿ってとられた、図６Ａの外科手術装置の代替の実施形態の端部断面図である。
【発明を実施するための形態】
【００２１】
（詳細な説明）
本開示の特定の実施形態が、本明細書において添付の図面を参照して説明される。図面において示されかつ以下の説明の全体を通して説明されるように、そして物体に対して相対的な位置決めをいうとき従来のように、用語「近位」または「後（ｔｒａｉｌｉｎｇ）はユーザにより近い、装置の端部をいい、用語「遠位」または「前（ｌｅａｄｉｎｇ）はユーザからより遠い、装置の端部をいう。以下の説明において、不必要な詳細で本開示を不明瞭にすることを避けるために、周知の機能または構成は詳細に説明されない。
【００２２】
本明細書において説明される１つのタイプの最小侵襲性外科手術は、単一の切開部を通る複数の器具アクセスを容易にするデバイスを用いる。これは、最小侵襲性外科手術処置であり、典型的には患者のへそである単一の入口点を通って外科医が操作することを可能にする。さらに、ここに開示されるデバイスは、天然の開口部（例えば、膣または肛門）が外科手術部位への入口点である処置において用いられ得る。開示される処置は、腹膜腔に通気し、例えば患者のへそ内にポータル部材の位置を決めることを伴う。内視鏡、およびグラスパ、ステープラ、鉗子または類似のものなどのさらなる器具を含む複数の器具は、外科手術処置を実行するためにポータル部材内に導入され得る。そのような外科手術ポータルの例は、同一人に譲渡された米国特許出願第１２／２４４，０２４号、２００８年１０月２日に出願された米国特許出願公開第２００９／００９３７５２  Ａ１号に開示され、これらの内容全体が本明細書に参照によって援用される。
【００２３】
ここで図面（図面において同様な参照数字はいくつかの図を通して同一かまたは実質的に類似する部品を識別する）を参照すると、図１は、シールアンカ部材１００を含む外科手術１０を例示し、シールアンカ部材１００は、例えば、腹腔鏡外科手術処置に関連して腹部内面または腹膜内面を通って組織路１０５内に挿入されるように適合される。
【００２４】
引き続き図１を参照すると、シールアンカ部材１００は、後端１１０と、前端１２０とを有する。シールアンカ部材１００は、さらに、シールアンカ部材１００の後端１１０と前端１２０との間の、シールアンカ部材１００の長手方向軸「Ｙ」と実質的に平行の方向に延びる少なくとも１つの長手方向ポート１３０を含む。各長手方向ポート１３０は、後端１１０と前端１２０との間に延びる通路を規定する。各通路は、例えば通路を通る外科手術器具（図示されていない）などの外科手術物体を受容するように寸法設定される。シールアンカ部材１００は、示されるように細くくびれた形状を規定し得るか、または後に説明されるようなディスク様形状などの任意の他の形状を規定し得る。後端１１０および前端１２０はフランジ部分を規定し得、フランジ部分はシールアンカ部材１００と一体化して形成され得る。シールアンカ部材１００は、例えば、１つ以上の外科手術物体の周りに密閉を形成しかつ組織と密閉した関係を確立するほど十分に伸展性を有する、適切な発泡体、ゲル材料、または軟質ゴムなどであるが、これらに限定されない弾性のある使い捨てで圧縮可能でありかつ／または可撓性のタイプの材料から作られ得る。発泡体は、好ましくは外科手術物体の軸外れ動作に適合するほど十分に伸展性がある。一実施形態において、発泡体は、ポリイソプレン材料を含む。
【００２５】
図１および図２を参照すると、長手方向ポート１３０の各々は、通路の一端部を閉じるために長手方向ポート１３０の通路内に配置される膜１４０を有する。より具体的には、図２に例示されるように、膜１４０は、長手方向ポートの後端１１０における長手方向ポート１３０の通路内に配置される。他の実施形態において、膜１４０が、長手方向ポート１３０の前端１２０に、または後端１１０と前端１２０との間の任意の位置に配置され得ることは認識されるべきである。膜１４０は、気体および液体の通過を妨げる気体不浸透性、液体不浸透性の材料から作られる。最小侵襲性処置中にシールアンカ部材１００が組織路１０５内に挿入された後、膜１４０は、長手方向ポート１３０を閉じる目的にかない、それによって通気気体が患者の腹膜腔から漏れることを阻止し、従って、拡大された外科手術部位の収縮または凹みを阻止する。膜１４０はまた、長手方向ポート１３０を閉じることによって異物がふとしたことで患者の腹膜腔の中に入るのを阻止する。さらに膜１４０が作られる材料は、先の尖った物体によって膜１４０が容易に貫通されることを可能にする特性を有する。図２に例示されるように、組織路の中にシールアンカ部材１００を配置後にかつそれを通って外科手術器具を挿入する前に、円筒形ナイフ２００などの先の尖ったデバイスが、後端１１０から膜１４０を通って突き通すことによって膜１４０を切り開くために用いられる。
【００２６】
図３を参照すると、長手方向ポート１３０の各々は、少なくとも１つのリップ１５０をさらに備えている。リップ１５０は、シールアンカ部材１００の長手方向軸「Ｙ」に平行して各長手方向ポート１３０全体に位置を決められる。リップ１５０は、最小侵襲性処置中、外科手術器具を密閉するように設計される。図３に例示されるような一実施形態において、各リップ１５０は、円錐形または切頭円錐（ｆｒｕｓｔｏｃｏｎｉｃａｌ）形を表し得る。各円錐形は、長手方向ポート１３０の直径と同じ直径を有する丸いベース端部１５１と、丸いベース１５１の直径より実質的に小さい直径を有する丸い頂点端部１５２とを有する。外科手術器具が長手方向ポート１３０に入ると、外科手術器具は、各リップ１５０を通って前進する。さらに、長手方向ポート１３０の直径は、外科手術器具の直径よりサイズが大きく設計され、丸い頂点端部１５２の直径は、外科手術器具の直径より小さい。シールアンカ部材１００が作られる材料の弾性の性質により、外科手術器具が各リップ１５０を通って前進すると、各リップ１５０の頂点端部１５２は、外科手術器具の通過を可能にするように押し広げられ拡張する。さらに、頂点端部１５２は、その拡張状態において、外科手術器具との実質的に隙間のない密閉を形成し、従って外科手術器具との実質的に密閉した関係を確立する。外科手術器具が除去時に各リップ１５０を離れると、頂点端部１５２は収縮してその元の形状に戻る。
【００２７】
本開示は、個別のカニューレアセンブリの必要性を除去する。具体的には、本開示のシールアンカ部材１００の膜１４０により、本開示のシールアンカ部材１００は、通気気体の漏れを阻止するために各長手方向ポート１３０の中に挿入されるべき別個のカニューレを必要としない。さらに、シールアンカ部材を通過する外科手術器具と隙間のない密閉を形成する、本開示のシールアンカ部材１００のリップ１５０により、シールアンカ部材１００に挿入されるカニューレアセンブリがなくても、長手方向ポート１３０を通る気体漏れは、最小限にされ得るか、または除去され得る。
【００２８】
さらにシールアンカ部材１００は、操作中、使用の容易性を実質的に増進させる。ここで、外科手術器具は、従来技術のデバイスの場合のようにポートの全長にわたり摩擦を受けることと対比して、外科手術器具がシールアンカ部材１００内の各リップ１５０の丸い頂点端部１５２を通って前進するときのみ、摩擦を受ける。従って、使用時、ポートの中に外科手術器具を導入するかまたはポートから外科手術器具を除去することは、必要とする力は、従来技術のポートの場合より少ない。
【００２９】
ポート１３０がシールを含み得、そのシールが、ポート１３０内に配置され、閉鎖位置に付勢され、ポート１３０の中に挿入される外科手術器具の導入時に開くように適合され、そして外科手術器具がポート１３０を通過することを可能にすることが想定される。閉鎖位置において、すなわち外科手術器具がない場合、シールは、ポート１３０を通る通気気体または異物の連絡を阻止する。
【００３０】
さらに、シールアンカ部材１００の非常に伸展性の性質により、シールアンカ部材１００は、湾曲した外科手術器具などの様々な形状の外科手術器具を収容するように適合される。シールアンカ部材１００の中に外科手術器具を挿入中、シールアンカ部材１００は、外科手術器具の形状に直ちに順応し得る。従って、外科手術器具に対して特定の形状が要求されない。
【００３１】
図３に例示されるように、複数の長手方向ポート１３０は、シールアンカ部材１００の長手方向軸「Ｙ」と実質的に平行である。ポート１３０は、長手方向軸「Ｙ」に関して対称であるように構成される。ポート１３０は、長手方向軸「Ｙ」から等距離に間隔を空けて置かれる。各ポート１３０は、その隣接するポートから等距離に間隔を空けて置かれる。もちろん、長手方向ポート１３０が、長手方向軸「Ｙ」に対して非平行であり得、長手方向軸「Ｙ」に関して非対称で配置され得、かつ／または、長手方向軸「Ｙ」からそして互いから様々な距離で間隔を空けて置かれ得ることは認識されるべきである。
【００３２】
一実施形態において、図３および図４に例示されるように、シールアンカ部材１００は、流体送達チャネルとして働くポート１６０をさらに備え得る。ポート１６０は、通気／排出器具１７０と接続する。通気／排出器具１７０は、流体を運ぶかまたは腹膜腔の中に例えばＣＯ２などの通気流体を導入しかつ／または腔から煙または流体を排出するように適合される任意の適切な器具であり得る。通気／排出器具１７０は、ハウジング１７１と、ハウジングから延びる細長い部材１７２とを含む。ハウジング１７１は、流体の選択可能な通過および流体の中断を可能にする停止コック弁１７３を組み込む。図４に示されるように、ハウジング１７１は、停止コック弁１７３に隣接して第１および第２のポートまたはルアーコネクタ１７４、１７５を含む。第１のルアーコネクタ１７４は、腹膜腔を通気するために利用されるＣＯ２などの通気源１８０に接続するよう適合され得る。第２のルアーコネクタ１７５は、吸引または気体排出器１８１と流体接続するように適合される。細長い部材１７２は、停止コック弁１７３と連絡する流体コンジットを規定する。
【００３３】
図５Ａ〜図５Ｃは、シールアンカ部材２００の代替の実施形態を例示し、この実施形態において、部材２００はディスク様の構成を示す。部材２００は、部材２００の遠位端２２０から長手方向に長手方向軸「Ｙ」に沿って部材２００の近位端２１０に延びる少なくとも１つのポート２３０を備えている。各ポート２３０は、部材２００の近位端２１０における近位開口部２３１と、部材２００の遠位端２２０における遠位開口部２３３と、近位開口部２３１から遠位開口部２３３への通路とを規定する。図５Ａ〜図５Ｂに示されるように、部材２００は、仮想の円「Ｃ」の周囲に位置を決められ、互いに等距離にある３つのポート２３０を含み得る。代わりに、隣接するポート２３０間の距離が変化し得るなどの、ポート２３０の他の配置が想定される。一実施形態において図５Ａおよび図５Ｃに例示されるように、各ポート２３０は、各ポート２３０の長手方向長に沿って均一の直径を有しない。そうではなくて、各ポートは、細くくびれた構成を規定する。具体的には、端開口部２３１および２３３は、ポート２３０の中間部分２３２によって規定される放射状の直径「Ｄ２」よりも大きい放射状の直径「Ｄ１」を規定する。簡単に述べると、ポート２３０は、ポート２３０の中間部分２３２から始まり両方の端開口部２３１および２３３の方に徐々に大きくなる放射状の直径を有する。ポート２３０の長手方向長に沿ってポート２３０の変化する放射状の直径は、ポート２３０が変化する直径の器具を密閉して係合することを可能にする。例えば、大きい直径「Ｄ１」を規定するポート開口部２３１および２３３は、「Ｄ１」以上の大きい直径の器具の周りに密閉を形成するように構成され、一方、比較的小さい直径「Ｄ２」を規定する中間部分２３２は、「Ｄ２」以上の直径を有する器具を密閉して係合するように形成するように構成される。中間部分２３２は、器具の挿入時に器具の通過を可能にするために拡張するように構成され、また、器具の除去時に収縮して器具の元の形状に戻るように構成される。さらに各ポート２３０の細くくびれた形状は、端開口部２３１および２３３を通って器具の容易な挿入および除去を促進する。ポート長に沿って一定の直径を有するポートの場合のように、器具は、挿入または除去中にポート２３０の長さ全体にわたり一定であり均一の摩擦を受けるということがない。そうではなくて、「Ｄ２」より大きいが「Ｄ１」より小さい放射状直径を有する器具に関して、器具は、近位端開口部２３１の大きい直径「Ｄ１」の中への最初の挿入に当然ある摩擦を受けなく、それによって、器具の挿入に必要な力を減少させると共に挿入プロセスを容易にする。器具は、器具が中間部分２３２に近づくにつれ摩擦の増加を受け、このことは器具の周りに隙間のない密閉を形成する。ポート２３０からの器具の除去時に、器具が中間部分２３２を通過し、近位開口部２３１の方に退出するにつれ、器具は持続的に減少する摩擦を受け、それによって、器具を除去するのに必要な力を減少させると共に除去プロセスを容易にする。従って、一定の直径を有するポートの全長にわたり一定の均一の摩擦を受けることとは反対に、この実施形態において、外科手術器具は変化する度合の摩擦を受ける。動作時、この実施形態のポートの中に外科手術器具を挿入するかまたはこの実施形態のポートから外科手術器具を除去することは、別のやり方の一定の直径を有するポートを用いることによって必要とする力および時間よりも少ない力および短い時間を必要とする。
【００３４】
図６Ａは、シールアンカ部材３００の別の実施形態を例示し、その実施形態において、部材３００は、少なくとも１つのポート３３０を備えている。一実施形態において、部材３００は、４つのポート３３０を備えている。図５Ｂに例示される実施形態に類似して、４つのポート３３０は、仮想の円「Ｃ」の周囲に位置を決められ、互いに等距離にある。代わりに、隣接するポート３３０間の距離が変化し得るなどの、ポート３３０の他の配置が想定される。図５Ａ〜図５Ｃに説明されるポート２３０に類似して、少なくとも１つのポート３３０は、端開口部３３１および３３３において大きい直径「Ｄ１」と、中間部分３３２において小さい直径「Ｄ２」とを規定する細くくびれた構成を有する。ポート２３０の構成とは異なり、少なくとも１つのポート３３０は、ポートの長手方向長に沿ったどこかに配置される膜３３４を有するように構成され得る。例えば、図６Ｂ１に例示されるような一実施形態において、膜３３４は、ポート３３０の中間部分３３２に配置される。代替の実施形態において、膜３３４は、図６Ｂ２に例示されるようにポート３３０の端開口部３３１または３３３のいずれかに配置され得、図６Ｂ２において、部材３３４は、遠位端開口部３３３に配置される。膜３３４は、先の尖った物体によって膜３３４が容易に貫通され得るように、前述の膜１４０と同じ材料特性を有する。膜３３４のクロージャは、患者の腹膜腔からの通気気体の漏れを阻止し、また、ふとしたことで腹膜腔に異物が入ることを阻止するように機能を果たす。
【００３５】
代替の実施形態において、シールアンカ部材のポートは、同じ仮想円「Ｃ」の周囲に必ずしも配置されない場合がある。ポートは、長手方向軸「Ｙ」からより遠い距離またはより近い距離のいずれかの距離に間隔を空けて置かれ得る。隣接するポート間の距離は、変化し得る。
【００３６】
さらに、一実施形態において説明される特徴は、他の実施形態において説明される特徴と組み合わせられ得る。例えば、細くくびれた構成を有するシールアンカ部材１００は、ポートの長さに沿ったどこかに配置される膜を有する細くくびれた構成を有する少なくとも１つのポートを備え得る。別の実施形態において、ディスク様構成を有するシールアンカ部材２００は、丸い頂点および丸いベースを規定する少なくとも１つのリップを有する少なくとも１つのポートを備え得る。別の代替の実施形態において、ディスク様構成を有するシールアンカ部材３００は３つのポートを備え、そのポートの各々は開通した通路を有する細くくびれた構成を規定する。
【００３７】
従って、本開示のいくつかの実施形態が図面に示されかつ／または本明細書において説明されたが、本開示がそれらに限定されることは意図されない。なぜなら、開示の範囲が本技術の許容する範囲と同じほど広いこと、および明細書が同様に読まれることが意図されるからである。従って、上記の説明は、限定するものとして解釈されるべきではなく、特定の実施形態の単なる例示として解釈されるべきである。当業者は、本明細書に添付の特許請求の範囲の範囲および精神内の他の修正を想定する。
【符号の説明】
【００３８】
１００  シールアンカ部材
１１０  後端
１２０  前端
１３０  長手方向ポート
１４０  膜
１５０  リップ
１６０  ポート
１７０  通気／排出器具
１７１  ハウジング
１８０  通気源
２１０  近位端
２２０  遠位端
【図１】
0006037596.tif 000002
【図２】
0006037596.tif 000003
【図３】
0006037596.tif 000004
【図４】
0006037596.tif 000005
【図５Ａ】
0006037596.tif 000006
【図５Ｂ】
0006037596.tif 000007
【図５Ｃ】
0006037596.tif 000008
【図６−１】
0006037596.tif 000009
【図６−２】
0006037596.tif 000010
【図６−３】
0006037596.tif 000011